(57)【特許請求の範囲】
【請求項１】
ホルダ本体と、ホルダ本体に取付けられ、薄板状をなす刃体を包持する背金が設けられている替刃を挟持する挟持部とを備えている替刃式剃刀のホルダにおいて、
前記挟持部は、ホルダ本体に設けられた固定挟持部と、固定挟持部に取付けられる回動支持軸により、固定挟持部に回動可能に取付けられる回動挟持部と、固定挟持部の一側の内面と回動挟持部の一側の内面との間に配設され、回動挟持部の他側が固定挟持部の他側の方向に回動するように、回動挟持部の一側の内面を常に付勢し、固定挟持部の他側と回動挟持部の他側との間に替刃を挟持する付勢部材とから構成され、
固定挟持部の他側と回動挟持部の他側との間には、替刃を挿入するための挿入空間が形成され、替刃の挿入開始に当たって替刃の基端部上端を挿入空間へ誘導するために、固定挟持部の他側の先端部及び回動挟持部の他側の先端部には、傾斜する誘導面が全周に亘って形成され、かつ、替刃の基端部上端に誘導面を係合させた状態でホルダ本体を回動させて替刃の基端部を挿入空間内に誘導するために、前記両先端部における固定挟持部の他側の内面及び回動挟持部の他側の内面には、誘導凹部が互いに対向するように凹設され、当該誘導凹部は、誘導面の上部端縁から固定挟持部及び回動挟持部の基端側に向かって延びるように形成されると共に縦断面略Ｖ字状に形成されていることを特徴とする替刃式剃刀のホルダ。
【請求項２】
前記固定挟持部と前記回動挟持部との間には、固定挟持部の他側と回動挟持部の他側との間を常に離間し、固定挟持部の他側と回動挟持部の他側との間に間隙を形成し、その間隙に替刃を挿入するための規制部が、回動支持軸よりも他側側に設けられている請求項１に記載の替刃式剃刀のホルダ。
【発明の詳細な説明】
【０００１】
【発明の属する技術分野】
本発明は、理容室において顔剃り等に使用される替刃式剃刀のホルダに関するものである。
【０００２】
【従来の技術】
従来、この種の替刃式剃刀のホルダは、その端部に替刃が着脱可能に取付けられるようになっている。このホルダは、端部に固定挟持部を有するホルダ本体と、固定挟持部に取付けられる回動支持軸により、固定挟持部に回動可能に取付けられる回動挟持部とから主に構成されている。固定挟持部の一側の内面には、付勢部材としての板ばねが取付けられている。この板ばねは、固定挟持部の他側の先端縁と回動挟持部の他側の先端縁とが係合するように、回動挟持部の一側の内面を常に強く付勢するようになっている。このため、固定挟持部の他側と回動挟持部の他側との間に替刃を挿入する挿入空間が設けられるとともに、固定挟持部の他側の先端縁と回動挟持部の他側の先端縁との間は、常には閉じるようになっている。
【０００３】
そして、ホルダの端部に替刃を取付けるときには、ホルダの先端部を替刃の基端部に触接させて、替刃の基端部をホルダの挿入空間内に挿入する。次に、ホルダの先端部を替刃の先端部に向かって移動させる。このとき、替刃は、固定挟持部の他側と回動挟持部の他側とによって、挿入空間内で挟持される。
【０００４】
【発明が解決しようとする課題】
ところが、この従来の替刃式剃刀のホルダは、挿入空間の幅が狭い。このため、ホルダの先端部を替刃の基端部に触接させて、替刃の基端部をホルダの挿入空間内に挿入するときには、替刃の基端縁がホルダの固定挟持部又は回動挟持部の先端縁に引掛かり、替刃の基端部をホルダの挿入空間内に挿入するのが困難である。よって、ホルダの端部に替刃を取付けるのが困難になるという問題があった。
【０００５】
本発明は、上記のような従来技術に存在する問題点に着目してなされたものである。その目的とするところは、替刃の挿入開始が容易で替刃の挿入操作を円滑に行うことができる替刃式剃刀のホルダを提供することにある。
【０００６】
【課題を解決するための手段】
上記の目的を達成するために、請求項１に記載の発明の替刃式剃刀のホルダは、ホルダ本体と、ホルダ本体に取付けられ、薄板状をなす刃体を包持する背金が設けられている替刃を挟持する挟持部とを備えている替刃式剃刀のホルダにおいて、前記挟持部は、ホルダ本体に設けられた固定挟持部と、固定挟持部に取付けられる回動支持軸により、固定挟持部に回動可能に取付けられる回動挟持部と、固定挟持部の一側の内面と回動挟持部の一側の内面との間に配設され、回動挟持部の他側が固定挟持部の他側の方向に回動するように、回動挟持部の一側の内面を常に付勢し、固定挟持部の他側と回動挟持部の他側との間に替刃を挟持する付勢部材とから構成され、固定挟持部の他側と回動挟持部の他側との間には、替刃を挿入するための挿入空間が形成され、替刃の挿入開始に当たって替刃の基端部上端を挿入空間へ誘導するために、固定挟持部の他側の先端部及び回動挟持部の他側の先端部には、傾斜する誘導面が全周に亘って形成され、かつ、替刃の基端部上端に誘導面を係合させた状態でホルダ本体を回動させて替刃の基端部を挿入空間内に誘導するために、前記両先端部における固定挟持部の他側の内面及び回動挟持部の他側の内面には、誘導凹部が互いに対向するように凹設され、当該誘導凹部は、誘導面の上部端縁から固定挟持部及び回動挟持部の基端側に向かって延びるように形成されると共に縦断面略Ｖ字状に形成されているものである。
【０００７】
請求項２に記載の発明の替刃式剃刀のホルダは、請求項１に記載の発明において、前記固定挟持部と前記回動挟持部との間には、固定挟持部の他側と回動挟持部の他側との間を常に離間し、固定挟持部の他側と回動挟持部の他側との間に間隙を形成し、その間隙に替刃を挿入するための規制部が、回動支持軸よりも他側側に設けられているものである。
【００１１】
【発明の実施の形態】
（第１の実施形態）
以下、本発明の第１の実施形態を図面に基づいて詳細に説明する。
【００１２】
図４に示すように、替刃式剃刀１１は、第１の実施形態のホルダ１２と、ホルダ１２の端部に着脱可能に取付けられる替刃１３とから構成されている。ホルダ１２は、細長板状に形成されている。図３（ｂ）に示すように、替刃１３は、細長四角形の薄板状をなす刃体１４と、刃体１４の上部を包持する背金１５とから構成されている。この替刃１３は、複数枚がセットになって図示しない収納ケース内に収納されている。
【００１３】
図２及び図３（ｂ）に示すように、背金１５の基端部及び先端部の両側面には、端部に向かうに従い内方へ傾斜する第１誘導面１６がそれぞれ形成されている。また、背金１５の上部には、正面略門状をなし、刃体１４の両側面から外方に離間して位置するとともに、背金１５の基端側から先端側に膨出して延びる湾曲部１７が設けられている。背金１５の中央部には、刃体１４の両側面に対して湾曲部１７の最大離間部よりも内方に近接して位置するとともに、背金１５の基端側から先端側に延びる凹曲部１８が凹設されている。背金１５の下部には、刃体１４の両側面に対して凹曲部１８の最小離間部よりも外方に離間して位置するとともに、湾曲部１７の最大離間部よりも内方に近接して位置し、背金１５の基端側から先端側に延びる凸曲部１９が膨出形成されている。刃体１４は、背金１５の内側に配設され、背金１５の先端縁によって挟持されている。
【００１４】
図５に示すように、ホルダ１２は、側面略長方形状のホルダ本体２０と、そのホルダ本体２０に対向する側面略長方形状の回動挟持部２１とから主に構成されている。ホルダ本体２０の先端部には、側面略長方形状の固定挟持部２２が形成され、ホルダ本体２０の中央部には、この替刃式剃刀１１を使用するときに把持される把持部２３が形成されている。
【００１５】
図１、図３（ａ）及び図５に示すように、固定挟持部２２には、中央部近傍から下部端縁にかけて、替刃１３が位置決めされつつ挟持される第１替刃挟持部２４が形成されている。第１替刃挟持部２４の下部近傍には、第１替刃挟持部２４の基端側から先端側に延びる第１突出部２５が突設されている。この第１突出部２５の内面は、替刃１３の凹曲部１８の外面に対応するように、湾曲状に膨出して形成されている。第１替刃挟持部２４の上部には、第１替刃挟持部２４の基端側から先端側に延びる側面略長方形状の第１凹部２６が凹設されている。
【００１６】
第１突出部２５の先端部の上部端縁には、誘導凹部としての側面長方形状をなす第１誘導凹部２７が凹設されている。第１誘導凹部２７は、内方及び上方に向かって開口し、第１誘導凹部２７の底面としての第１底面２８は、端部に向かうに従い内方に向かって延びるように傾斜する傾斜状に形成されている。
【００１７】
第１替刃挟持部２４の最上部には、第１替刃挟持部２４の基端側から先端側に延びる規制部としての細長い四角柱状をなす第１規制凸部２９が突設されている。固定挟持部２２の中央部には、固定挟持部２２の基端側から先端側に延びる正面半円状の第１ガイド溝３０が凹設されている。
【００１８】
図１及び図５に示すように、この第１ガイド溝３０の基端部及び先端部には、円筒状の第１支持筒３１及び第２支持筒３２がそれぞれ設けられている。第２支持筒３２の長さは、基端部の第１支持筒３１の長さよりも短く形成されるとともに、第２支持筒３２の中心軸は、第１支持筒３１の中心軸の延長線上に位置するように構成されている。
【００１９】
固定挟持部２２の上部中央には、付勢部材としての板ばね３３を取付けるための側面略長方形状をなすばね装着部３４が凹設されている。ばね装着部３４の中央には、円柱状のばね装着突起３５が突設されている。ばね装着部３４の基端側及び先端側の端部には、回動挟持部２１が固定挟持部２２に取付けられるときに、板ばね３３の過大な変形を抑制するための側面略三角形状をなす変形抑制部３６が、それぞれ凹設されている。
【００２０】
固定挟持部２２の基端部には、固定挟持部２２に対して直交方向に延びる内壁３７が形成されている。固定挟持部２２の先端部には、第１規制凸部２９の底面から第１替刃挟持部２４の下部端縁にかけて、端部に向かうに従い外方へ傾斜する第２誘導面３８が形成されている。
【００２１】
図３（ａ）、図３（ｂ）及び図５に示すように、板ばね３３は平面略Ｍ字状に形成され、この板ばね３３の基端部及び先端部には、山型片３９がそれぞれ形成されている。板ばね３３の中央には、円孔状の装着孔４０が貫通形成されている。そして、板ばね３３の装着孔４０をばね装着部３４のばね装着突起３５に嵌挿した後に、円環状の係止座金４１をばね装着突起３５に嵌挿することにより、板ばね３３は、ばね装着部３４に遊動自在に取付けられるようになっている。このとき、板ばね３３の基端側及び先端側の山型片３９は、ばね装着部３４からそれぞれ突出するように構成されている。
【００２２】
回動挟持部２１には、中央部近傍から下部端縁にかけて、替刃１３が位置決めされつつ挟持される第２替刃挟持部４２が形成されている。第２替刃挟持部４２の下部近傍には、第２替刃挟持部４２の基端側から先端側に延びる第２突出部４３が形成されている。この第２突出部４３の内面は、替刃１３の凹曲部１８の外面に対応するように、湾曲状に膨出されている。第２替刃挟持部４２の上部には、第２替刃挟持部４２の基端側から先端側に延びる側面略長方形状の第２凹部４４が凹設されている。
【００２３】
第２突出部４３の先端部に上部端縁には、誘導凹部としての側面略長方形状をなす第２誘導凹部４５が凹設されている。第２誘導凹部４５は、内方及び上方に向かって開口し、第２誘導凹部４５の底面としての第２底面４６は、端部に向かうに従い内方に向かって延びるように傾斜する傾斜状に形成されている。
【００２４】
第２替刃挟持部４２の最上部には、第２替刃挟持部４２の基端側から先端側に延びる規制部としての細長い四角柱状をなす第２規制凸部４７が突設されている。そして、ホルダ１２において、第１替刃挟持部２４と第２替刃挟持部４２との間には、替刃１３が挿入される挿入空間４８が形成されている。第１突出部２５の内面と第２突出部４３の内面との間の距離は、替刃１３の凹曲部１８の幅よりも小さくなるように設定されている。具体的には、約３０％小さくなるように設定されている。
【００２５】
また、第２規制凸部４７が第１規制凸部２９に当接することにより、第１替刃挟持部２４の下端縁と第２替刃挟持部４２の下端縁とが離間し、第１替刃挟持部２４の下端縁と第２替刃挟持部４２の下端縁との間には、間隙４９が形成されている。なお、第２規制凸部４７は、間隙４９の中央を通る平面上で第１規制凸部２９に当接するように構成されている。
【００２６】
回動挟持部２１の中央部には、回動挟持部２１の基端側から先端側に延びる正面半円状の第２ガイド溝５０が凹設されている。図５に示すように、この第２ガイド溝５０の基端部及び先端部には、円筒状の第３支持筒５１及び第４支持筒５２が、同じ長さで同一線上にそれぞれ設けられている。
【００２７】
そして、回動挟持部２１が固定挟持部２２に取付けられるときには、第３支持筒５１及び第４支持筒５２の基端側の端面が、第１支持筒３１及び第２支持筒３２の先端側の端面にそれぞれ係合するようになっている。
【００２８】
第３支持筒５１及び第４支持筒５２には、回動支持軸としての円柱状をなす第１回動支持軸５３及び第２回動支持軸５４がそれぞれ取付けられている。第１回動支持軸５３及び第２回動支持軸５４の基端側の端部は、第３支持筒５１及び第４支持筒５２の基端側の端面から基端側の方向に向けて突出するように構成されている。第１回動支持軸５３及び第２回動支持軸５４の外径は、第１支持筒３１及び第２支持筒３２の内径よりも若干小さく形成されるとともに、第２回動支持軸５４の端部には、第２回動支持軸５４が第２支持筒３２に確実に係止されるための略円環状の係止部５５が突出形成されている。
【００２９】
そして、回動挟持部２１が固定挟持部２２に取付けられるときには、第１回動支持軸５３及び第２回動支持軸５４が第１支持筒３１及び第２支持筒３２内に嵌挿されるとともに、第２回動支持軸５４の係止部５５の端部が第２支持筒３２の基端側の端面に係合するようになっている。
【００３０】
回動挟持部２１の上部には、回動挟持部２１の基端側から先端側に延びる正面略長方形状のばね受け部５６が凹設されている。ばね受け部５６の中央には、平面略台形状の係合凸部５７が突設されている。そして、回動挟持部２１が固定挟持部２２に取付けられるときには、板ばね３３の先端側の山型片３９がばね受け部５６の先端側を付勢するようになっている。一方、板ばね３３の基端側の山型片３９は、ばね受け部５６において、係合凸部５７よりも基端側を付勢するようになっている。
【００３１】
回動挟持部２１の先端部には、第２規制凸部４７の底面から第２替刃挟持部４２の下部端縁にかけて、端部に向かうに従い外方へ傾斜する第３誘導面５８が形成されている。そして、替刃１３がホルダ１２の端部に取付けられるときには、第２誘導面３８及び第３誘導面５８が、替刃１３を挿入空間４８及び間隙４９内に誘導するようになっている。
【００３２】
次に、上記のように構成された替刃式剃刀のホルダ１２の作用を説明する。
さて、回動挟持部２１を固定挟持部２２に取付けるときには、板ばね３３の付勢力に抗して、第２規制凸部４７を第１規制凸部２９に当接させるとともに、第１回動支持軸５３及び第２回動支持軸５４を第１支持筒３１及び第２支持筒３２に嵌挿する。次に、第３支持筒５１及び第４支持筒５２の基端側の端面が第１支持筒３１及び第２支持筒３２の先端側の端面にそれぞれ係合するまで、回動挟持部２１を基端側の方向に摺動させることにより、回動挟持部２１は固定挟持部２２に回動可能に取付けられる。
【００３３】
このとき、図３（ａ）に示すように、回動挟持部２１のばね受け部５６は、板ばね３３により、回動挟持部２１の第２突出部４３が固定挟持部２２の第１突出部２５の方向に回動するように常に付勢される。
【００３４】
また、第１替刃挟持部２４と第２替刃挟持部４２との間には、替刃１３が挿入される挿入空間４８が形成される。さらに、第２規制凸部４７が第１規制凸部２９に当接することにより、第１替刃挟持部２４の下端縁と第２替刃挟持部４２の下端縁とが離間し、第１替刃挟持部２４の下端縁と第２替刃挟持部４２の下端縁との間には、間隙４９が形成される。
【００３５】
ホルダ１２の端部に替刃１３を取付けるときには、図２に示すように、ホルダ１２の把持部２３を手で握り、ホルダ１２の先端部を収納ケース内に収納されている替刃１３の基端部に触接させる。このとき、替刃１３の基端部の第１誘導面１６がホルダ１２の第２誘導面３８及び第３誘導面５８に係合する。
【００３６】
このため、替刃１３の基端部の上端部は、ホルダ１２の挿入空間４８の先端部に容易に誘導されるとともに、第１誘導凹部２７及び第２誘導凹部４５により、挿入空間４８内に誘導される。よって、第１規制凸部２９の先端部及び第２規制凸部４７の先端部は、替刃１３の上部にそれぞれ係合する。
【００３７】
この状態で、第１規制凸部２９の先端部と第２規制凸部４７の先端部とを支点として、ホルダ１２の基端部を下方へ回動すると、替刃１３の基端部は、第１誘導凹部２７の第１底面２８及び第２誘導凹部４５の第２底面４６に係合しつつ、ホルダ１２の挿入空間４８及び間隙４９内に挿入される。
【００３８】
このとき、第１誘導凹部２７の第１底面２８及び第２誘導凹部４５の第２底面４６は、端部に向かうに従い内方に向かって延びるように傾斜する傾斜状にそれぞれ形成されているため、替刃１３の基端部は、第１底面２８及び第２底面４６に沿って、挿入空間４８及び間隙４９内に誘導される。
【００３９】
また、図３（ｂ）に示すように、第２突出部４３が替刃１３の凹曲部１８によって押圧されるために、回動挟持部２１の上部は、板ばね３３の付勢力に抗して、固定挟持部２２の上部の方向に回動される。このため、第１規制凸部２９と第２規制凸部４７との係合は解除される。
【００４０】
次いで、ホルダ１２の先端部を替刃１３の先端部に向かって移動させると、替刃１３は第１替刃挟持部２４及び第２替刃挟持部４２によって挟持されつつ、ホルダ１２の基端側に向かってホルダ１２内を摺動する。このとき、第１替刃挟持部２４の下端縁と第２替刃挟持部４２の下端縁との間には、間隙４９が形成されているため、替刃１３は、間隙４９を通って抵抗なく挿入される。
【００４１】
そして、図４に示すように、替刃１３の基端部がホルダ本体２０の内壁３７に当接するまで、ホルダ１２の先端部を替刃１３の先端部に向かって移動させる。このとき、替刃１３の凹曲部１８が固定挟持部２２の第１突出部２５及び回動挟持部２１の第２突出部４３によって強固に挟持されるため、替刃１３はホルダ１２の端部に強固に取付けられる。
【００４２】
以上詳述した第１の実施形態によれば、次のような効果が発揮される。
・  第１の実施形態の替刃式剃刀のホルダ１２においては、第１突出部２５及び第２突出部４３の先端部の上部端縁には、第１誘導凹部２７及び第２誘導凹部４５がそれぞれ凹設されている。このため、ホルダ１２の端部に替刃１３を取付けるときには、替刃１３の端部をホルダ１２の挿入空間４８内に誘導することができる。よって、替刃１３の挿入空間４８への挿入開始を容易にすることができる。
【００４３】
・  第１の実施形態の替刃式剃刀のホルダ１２においては、第１誘導凹部２７の第１底面２８及び第２誘導凹部４５の第２底面４６は、端部に向かうに従い内方に向かって延びるように傾斜する傾斜状に形成されている。このため、第１規制凸部２９の先端部と第２規制凸部４７の先端部とを支点として、ホルダ１２の基端部を下方へ回動するときには、替刃１３の端部をホルダ１２の挿入空間４８及び間隙４９内に容易に挿入することができる。よって、替刃１３の挿入操作を円滑に行うことができる。
【００４４】
・  第１の実施形態の替刃式剃刀のホルダ１２においては、背金１５の基端部及び先端部には、端部に向かうに従い内方に向かって延びるように傾斜する第１誘導面１６がそれぞれ形成されている。このため、ホルダ１２の端部に替刃１３を取付けるときには、替刃１３の基端部の上端部を、ホルダ１２の挿入空間４８の先端部に容易に誘導することができる。
【００５１】
なお、前記実施形態を次のように変更して構成することもできる。
・  前記第１の実施形態の替刃式剃刀のホルダ１２において、前記第１誘導凹部２７及び第２誘導凹部４５を、第１突出部２５及び第２突出部４３の先端部全体にそれぞれ凹設してもよい。このように構成した場合は、ホルダ１２の端部に替刃１３を取付けるときには、替刃１３の端部をホルダ１２の挿入空間４８内に容易に誘導することができる。よって、替刃１３の挿入空間４８への挿入開始をより容易にすることができる。
【００５２】
・  前記第１の実施形態の替刃式剃刀のホルダ１２において、前記第１誘導凹部２７及び第２誘導凹部４５を、側面略円状や三角形状等の形状に変えてもよい。このように構成した場合も、ホルダ１２の端部に替刃１３を取付けるときには、替刃１３の端部をホルダ１２の挿入空間４８内に誘導することができる。よって、替刃１３の挿入空間４８への挿入開始を容易にすることができる。
【００５５】
【発明の効果】
本発明は、以上のように構成されているため、次のような効果を奏する。
請求項１に記載の発明の替刃式剃刀のホルダによれば、替刃の挿入開始が容易で替刃の挿入操作を円滑に行うことができる。加えて、替刃を確実に取付けることができる。
【００５６】
請求項２に記載の発明の替刃式剃刀のホルダによれば、請求項１に記載の発明の効果に加え、替刃を容易かつ確実に取付けることができる。
【図面の簡単な説明】
【図１】  第１の実施形態における固定挟持部を示す要部側面図。
【図２】  図示しない収納ケース内にある替刃の基端部に替刃式剃刀のホルダの先端部が触接した状態を示す一部破断側面図。
【図３】  （ａ）は替刃式剃刀のホルダを示す一部破断正面図。（ｂ）は替刃式剃刀のホルダに替刃を取付けた状態を示す一部破断正面図。
【図４】  替刃式剃刀を示す一部斜視図。
【図５】  替刃式剃刀のホルダを示す分解斜視図。
【符号の説明】
１２…ホルダ、１３…替刃、２０…ホルダ本体、２１…挟持部としての回動挟持部、２２…挟持部としての固定挟持部、２７…誘導凹部としての第１誘導凹部、２８…底面としての第１底面、２９…規制部としての第１規制凸部、３３…付勢部材としての板ばね、４５…誘導凹部としての第２誘導凹部、４６…底面としての第２底面、４７…規制部としての第２規制凸部、４８…挿入空間、４９…間隙、５３…回動支持軸としての第１回動支持軸、５４…回動支持軸としての第２回動支持軸、５９…挟持部、６１…誘導凹部としての第３誘導凹部、６２…底面としての第３底面。
【図１】
0003795764.tif 000002
【図２】
0003795764.tif 000003
【図３】
0003795764.tif 000004
【図４】
0003795764.tif 000005
【図５】
0003795764.tif 000006